(57)【要約】【課題】  建物全体の施工精度に左右されずに精度良く垂木材同士を繋ぎ合わせることが可能な垂木材の継ぎ手構造を提供することを目的とする。【解決手段】垂木材の継ぎ手構造１は、屋根勾配に沿って傾斜するとともに一列に複数配置される長尺な垂木材２同士を、垂木材２の長手方向の互いに隣接する端部２ａで継ぐ構造であって、垂木材２を支持するとともに垂木材２に平面視直交する垂木支持材３と、垂木支持材３に載架される長尺な垂木材２と、を備え、垂木材２の端部２ａに形成した端面２ｂ同士を重ね合わせることによって形成される継ぎ部４は、垂木材２同士のずれを抑制するためのズレ抑制部６を有する。【選択図】図４
2018184734.tif 000002
【特許請求の範囲】
【請求項１】
屋根勾配に沿って傾斜するとともに一列に複数配置される長尺な垂木材同士を、前記垂木材の長手方向の互いに隣接する端部で継ぐ垂木材の継ぎ手構造であって、
前記垂木材を支持するとともに前記垂木材に平面視直交する複数の垂木支持材と、
前記垂木支持材に載架される長尺な前記垂木材と、を備え、
前記垂木材の前記端部に形成した端面同士を重ね合わせることによって形成される継ぎ部は、前記垂木材同士のずれを抑制するためのズレ抑制部を有することを特徴とする垂木材の継ぎ手構造。
【請求項２】
前記ズレ抑制部は、前記垂木材の前記垂木支持材に面する第１側面及び該第１側面の反対側に位置する第２側面に平行に形成されることを特徴とする請求項１に記載の垂木材の継ぎ手構造。
【請求項３】
前記端面は、該端面に段差を形成する段差面を有し、
前記ズレ抑制部は、前記端面の前記段差面同士を突合せることによって形成されることを特徴とする請求項１又は請求項２に記載の垂木材の継ぎ手構造。
【請求項４】
前記端部は、前記端面から前記垂木材の長手方向へ掘られたスリットを形成しており、
前記ズレ抑制部は、前記垂木材のずれを抑制する楔金具を前記スリットに挿入することによって形成されることを特徴とする請求項１又は請求項２に記載の垂木材の継ぎ手構造。
【請求項５】
前記楔金具は、前記スリットに挿入される平板状のスリット挿入部と、前記スリット挿入部の一端を折り曲げて形成され前記垂木材に固定される固定部を有していることを特徴とする請求項４に記載の垂木材の継ぎ手構造。
【請求項６】
請求項１から請求項５のいずれかに記載の垂木材の継ぎ手構造を有することを特徴とする屋根構造。
【請求項７】
請求項１から請求項５に記載の垂木材の継ぎ手構造を用いて垂木材同士を継ぐ垂木材の継ぎ手施工方法であって、
前記垂木材を支持する複数の前記垂木支持材は、屋根勾配及び前記垂木材に対して平面視直交するように配置され、且つ、前記屋根勾配に沿って高低差を形成しながら互いに平行に配置されており、
前記屋根勾配に沿って配置される前記垂木材の水下側に位置する水下側垂木材は、前記垂木支持材に載置固定され、
前記屋根勾配に沿って配置される前記垂木材の水上側に位置する水上側垂木材の端面と、前記水下側垂木材の端面と、を重ね合わせて前記垂木材同士のずれを抑制するズレ抑制部を有する前記継ぎ部を形成した後、前記水上側垂木材を前記水下側垂木材に固定することを特徴とする垂木材の継ぎ手施工方法。
【発明の詳細な説明】
【技術分野】
【０００１】
本発明は、屋根勾配に沿って傾斜するとともに一列に複数配置される長尺な垂木材同士を、垂木材の長手方向に隣接する端部で継ぐ垂木材の継ぎ手構造に関する。
【背景技術】
【０００２】
従来より、梁間の大きい屋根や片流れ屋根のような大屋根を形成する場合は、屋根勾配に沿って傾斜する木製の垂木材を繋ぎ合わせて使用することがある。垂木材の継ぎ手部分は、精度よく繋ぎ合わせなければ滑らかな屋根面を形成することができないため高精度な施工が要求されるが、一方で、傾斜させた長尺な垂木材を正確に継ぐ作業は非常に難しく、その施工精度は施工者の技術に拠るところが大きかった。この問題点を解決するために、特許文献１の発明が提案されている。
【０００３】
特許文献１に記載の発明には、施工現場において、垂木を構成する構成部材を容易に設置するとともに正確に構成部材同士を繋ぎ合わせることが可能な垂木の継ぎ手構造について記載されている。この発明では、構成部材の長手方向の端部に断面視三角形の切欠を設けており、構成部材を支持する垂木支持材にこの切欠を引掛けることによって構成部材の位置決めを容易に行うことができ、構成部材同士を正確に繋ぎ合せられる旨が開示されている。
【先行技術文献】
【特許文献】
【０００４】
【特許文献１】特開２０１６−１９４２０８
【発明の概要】
【発明が解決しようとする課題】
【０００５】
ところで、屋根工事は、基礎の据付けや柱、梁及び棟木等の建方工事を全て完了させた後に行われるため、各所で生じた施工誤差が集約された状況で施工しなければならず、特に軒の出に影響を与える垂木材は、これらの施工誤差を許容できる範囲で吸収しながら設置される。しかしながら、特許文献１の発明では、構成部材の長手方向の端部に設けた切欠を垂木支持材に引掛けることにより構成部材の位置決めをしているため、構成部材を長手方向に移動することができず、構成部材の長手方向の位置を微調整することができない。そのため、各所の施工誤差や垂木材自身の材長のばらつきを吸収することができず、軒の出が均一にならない虞がある。
【０００６】
また、一般的な垂木材の継ぎ手は、図１０に示すように、垂木材Ａの上下面に対して傾斜する端面Ｂ同士を継ぐ、所謂そぎ継ぎＣを多く使用しているが、先述したような各所の施工誤差や垂木材Ａ自身の材長のばらつきにより、端面Ｂ同士の間に隙間Ｌａが生じるとともに垂木材Ａ同士のずれＬｂが生じる。このずれＬｂは、垂木材Ａの上下面に対して直交する力Ｘによって生じ、垂木材の継ぎ部で段差を形成して、垂木材に載置される屋根下地材の不陸やがたつきの原因となる。しかしながら、軒の出等を優先して垂木材Ａを配置すると、各所で生じた施工誤差の影響を受けてずれＬｂが増大する可能性が高く、滑らかな屋根面の構築を困難とする要因となっている。
【０００７】
そこで、本発明は、上述した課題を鑑みてなされたものであって、建物全体の施工精度に左右されずに精度良く垂木材同士を繋ぎ合わせることが可能な垂木材の継ぎ手構造を提供することを目的とする。
【課題を解決するための手段】
【０００８】
本発明の第１の垂木材の継ぎ手構造は、屋根勾配に沿って傾斜するとともに一列に複数配置される長尺な垂木材同士を、前記垂木材の長手方向の互いに隣接する端部で継ぐ垂木材の継ぎ手構造であって、前記垂木材を支持するとともに前記垂木材に平面視直交する垂木支持材と、前記垂木支持材に載架される長尺な前記垂木材と、を備え、前記垂木材の前記端部に形成した端面同士を重ね合わせることによって形成される継ぎ部は、前記垂木材同士のずれを抑制するためのズレ抑制部を有することを特徴としている。
【０００９】
本発明の第２の垂木材の継ぎ手構造は、前記ズレ抑制部は、前記垂木材の前記垂木支持材に面する第１側面及び該第１側面の反対側に位置する第２側面に平行に形成されることを特徴としている。
【００１０】
本発明の第３の垂木材の継ぎ手構造は、前記端面は、該端面に段差を形成する段差面を有し、前記ズレ抑制部は、前記端面の前記段差面同士を突合せることによって形成されることを特徴としている。
【００１１】
本発明の第４の垂木材の継ぎ手構造は、前記端部は、前記端面から前記垂木材の長手方向へ掘られたスリットを形成しており、前記ズレ抑制部は、前記垂木材のずれを抑制する楔金具を前記スリットに挿入することによって形成されることによって形成されることを特徴としている。
【００１２】
本発明の第５の垂木材の継ぎ手構造は、前記楔金具は、前記スリットに挿入される平板状のスリット挿入部と、前記スリット挿入部の一端を折り曲げて形成され前記垂木材に固定される固定部を有していることを特徴としている。
【００１３】
本発明の屋根構造は、第１から第５のいずれかの垂木材の継ぎ手構造を有することを特徴としている。
【００１４】
本発明の垂木材の継ぎ手施工方法は、第１から第５に記載の垂木材の継ぎ手構造を用いて垂木材同士を継ぐ垂木材の継ぎ手施工方法であって、前記垂木材を支持する複数の垂木支持材は、屋根勾配及び前記垂木材に対して平面視直交するように配置され、且つ、前記屋根勾配に沿って高低差を形成しながら互いに平行に配置されており、前記屋根勾配に沿って配置される前記垂木材の水下側に位置する水下側垂木材は、前記垂木支持材に載置固定され、前記屋根勾配に沿って配置される前記垂木材の水上側に位置する水上側垂木材の端面と、前記水下側垂木材の端面と、を重ね合わせて前記垂木材同士のずれを抑制するズレ抑制部を有する前記継ぎ部を形成した後、前記水上側垂木材を前記水下側垂木材に固定することを特徴としている。
【発明の効果】
【００１５】
本発明の垂木材の継ぎ手構造によると、垂木材の端面同士を重ね合わせることによって形成される継ぎ部は、垂木材のずれを抑制するためのズレ抑制部を有しているので、各所の施工誤差や垂木材の材長のばらつきによる垂木材の継ぎ部のずれを防止して精度の高い垂木材の継ぎ手構造を構築することができる。
【００１６】
本発明の垂木材の継ぎ手構造によると、ズレ抑制部は、垂木材の垂木支持材に面する第１側面及び第１側面の反対側に位置する第２側面に平行に形成されるので、屋根勾配に沿う第１側面及び第２側面に対して垂直に作用する垂木材をずらそうとする力に効果的に抵抗することができ、垂木材の継ぎ部のずれを防止して精度の高い垂木材の継ぎ手構造を構築することができる。
【００１７】
本発明の垂木材の継ぎ手構造によると、ズレ抑制部は、端面の段差面同士を突合せることによって形成されるので、各所の施工誤差や垂木材の材長のばらつきによる垂木材の継ぎ部のずれを、端面の段差面同士を突合せるだけで防止することができ、施工性を向上させることができる。また、ズレ抑制部は垂木支持材に係合しないので、垂木材を長手方向に微調整することができ、軒の出を調整しながら施工を行うことができる。
【００１８】
本発明の垂木材の継ぎ手構造によると、垂木材の端部は、端面から垂木材の長手方向へ掘られたスリットを形成しており、ズレ抑制部は、垂木材のずれを抑制する楔金具をスリットに挿入することによって形成されるので、各所の施工誤差や垂木材の材長のばらつきによる垂木材の継ぎ部のずれを楔金具によって防止でき、精度の高い垂木材の継ぎ手構造を構築することができる。
【００１９】
本発明の垂木材の継ぎ手構造によると、楔金具は、スリットに挿入される平板状のスリット挿入部と、一方の垂木材に固定される固定部を有しているので、垂木材を垂木支持材に設置する前に、予め一方の垂木材にスリット挿入部の一部を挿入して固定部を一方の垂木材に固定しておけば、垂木材同士を繋ぎ合わせる際に楔金具のスリット挿入部を他方の垂木材に挿入するだけで容易に垂木材の継ぎ部のずれを抑制することができ、施工性を向上させることができる。
【００２０】
本発明の屋根構造によると、第１から第５のいずれかの垂木材の継ぎ手構造を有しているので、梁間の大きな屋根や片流れ屋根のような大屋根を施工する際に、滑らかな屋根面をスピーディに構築することができる。
【００２１】
本発明の垂木材の継ぎ手施工方法は、垂木支持材に載置固定された水下側垂木材と水上側垂木材の端面同士を重ね合わせてズレ抑制部を有する継ぎ部を形成した後、水上側垂木材を水下側垂木材に固定するので、各所の施工誤差を考慮することなく垂木材同士を精度よく繋ぎ合わせることが可能となり、施工性を大幅に向上させることができる。
【図面の簡単な説明】
【００２２】
【図１】垂木材の垂木支持材への設置状況を示す斜視図。
【図２】垂木材の垂木支持材への設置状況を示す平面図。
【図３】垂木材の継ぎ手構造の第一の実施形態を示す分解斜視図。
【図４】垂木材の継ぎ手構造の第一の実施形態を示す断面図。
【図５】垂木材の継ぎ手構造の第二の実施形態を示す分解斜視図。
【図６】楔金具を示す斜視図。
【図７】水上側垂木材の端面と水下側垂木材の端面を合せる状況を示す斜視図。
【図８】楔金具の垂木材への設置状況を示す断面図。
【図９】楔金具の垂木材への設置状況を示す別の断面図。
【図１０】従来の垂木材の継ぎ手構造を示す断面図。
【発明を実施するための形態】
【００２３】
以下、垂木材の継ぎ手構造１の最良の実施形態について各図を参照しつつ説明する。なお、本発明の垂木材の継ぎ手構造は、主に木造屋根に使用することができる。
【００２４】
〔第１実施形態〕
垂木材の継ぎ手構造１は、図１及び図２に示すように、屋根勾配に沿って傾斜するとともに一列に複数配置される長尺な垂木材２同士を、垂木材２の長手方向の互いに隣接する端部２ａで継ぐ継ぎ手構造であって、垂木材２を支持するとともに垂木材２に平面視直交する垂木支持材３と、垂木支持材３に載架される長尺な垂木材２と、を備えている。また、垂木材２は、端部２ａに形成される端面２ｂ同士を重ね合わせて継ぎ部４を形成することができる。
【００２５】
垂木材２は、図１に示すように、屋根勾配に沿って傾斜する長尺な断面矩形の部材で、木材で形成されている。垂木材２は、屋根勾配の水下側に設置される水下側垂木材２１と、屋根勾配の水上側に設置される水上側垂木材２２とから構成されており、水下側垂木材２１の端面２ｂと水上側垂木材２２の端面２ｂ同士を合わせることによって継ぎ部４を形成することができる。なお、図示していないが、垂木材２の上部には屋根下地材である野地板を載置することができる。
【００２６】
端面２ｂは、図３に示すように、水下側垂木材２１及び水上側垂木材２２の垂木下地材３に面する第１側面２ｃ及び第１側面２ｃの反対側の面である第２側面２ｄに対して傾斜している傾斜面２３と、端面２ｂの長手方向の略中央部を横断し、端面２ｂに段差を形成する段差面２４を有している。段差面２４は、第１側面２ｃ及び第２側面２ｄに平行に形成されるとともに、水下側垂木材２１の端面２ｂと水上側垂木材２２の端面２ｂを重ね合わせた際、互いの段差面２４同士が係合するように端面２ｂに設けられている。このような形状の端面２ｂは、水下側垂木材２１と水上側垂木材２２を合わせる際に、水下側垂木材２１の端面２ｂが水上側垂木材２２の端面２ｂの下側に位置するように事前に工場でプレカット加工される。なお、段差面２４は、傾斜面２３に対して所定の角度を有している。
【００２７】
垂木支持材３は、図１及び図２に示すように、垂木材２に平面視直交して垂木材２を支持する長尺な断面矩形の部材で、図示しない柱や小屋束に架け渡される軒桁や母屋、垂木掛け及び棟木等の横架材である。図１に示すように、垂木支持材３の垂木材２を載架する部分には、垂木材２を受けるための垂木台３１が設けられており、垂木材２と当接する箇所ごとに断面視三角形の切欠き３２を形成している。
【００２８】
次に、垂木材の継ぎ手構造１を用いた垂木材の継ぎ手施工方法について説明する。垂木支持材３は、図１に示すように、図示しない柱や小屋束に複数架け渡されており、屋根勾配に対して平面視直交するように配置されるとともに屋根勾配に沿って高低差を形成しながら互いに平行に配置される。最も水下側に位置する垂木支持材３は軒桁３３であり、最も水上側に位置する垂木支持材３は棟木３４である。また、軒桁３３と棟木３４との間に、これらと平行に配置されている複数の垂木支持材３は母屋３５である。なお、図１における垂木支持材３の配置は一例を示したもであり、各垂木支持材３の種類や形状、母屋３５の本数は特に限定されない。
【００２９】
このように架け渡された垂木支持材３に水下側垂木材２１を設置する。まず、図１及び図３に示すように、各垂木支持材３の切欠き３２に水下側垂木材２１を嵌め合わせて、水下側垂木材２１の幅方向の移動を防止する。そして、図２に示すように、軒桁３３から妻方向に突出する水下側垂木材２１の先端部を、平面視一直線状となるように水下側垂木材２１を配置し、各所で生じた施工誤差を吸収しながら軒の出を揃える。そして、図３に示すように、水下側垂木材２１の継ぎ部４を形成する側の端部２ａを長尺ビス５で母屋３５に固定する。
【００３０】
続いて、図３に示すように、水上側垂木材２２を水下側垂木材２１と繋ぎ合わせる。このとき、先述したように、水下側垂木材２１の端面２ｂは、水上側垂木材２２の端面２ｂに対して下側になるように形成されているので、水上側垂木材２２を容易に設置することができる。各端面２ｂ同士を重ね合わせる際は、水下側垂木材２１の段差面２４と、水上側垂木材２２の段差面２４とを突合せ、図４に示すように、ズレ抑制部６を形成して継ぎ部４を完成させる。
【００３１】
そして、図３に示すように、水上側垂木材２２の第２側面２ｄの水下側垂木材２１に近接する位置に釘５１を打ち、水上側垂木材２２を水下側垂木材２１に固定する。最後に、水下側垂木材２１の第２側面２ｄに直交する第３側面２ｅ及び第４側面２ｆの切欠き３２に近接する位置に釘５１を打ち、垂木材の継ぎ手構造１を完成させる。
【００３２】
継ぎ部４には、図４に示すように、従来と同様に各所で生じた施工誤差や垂木材２自身の材長のばらつきによって隙間Ｌ１が形成され、さらに、第１側面２ｃ及び第２側面２ｄに対して直交し、且つ、垂木材２同士をずれさせようとする力Ｘが作用する。このとき、ズレ抑制部６は、力Ｘの作用する方向に対して直交して形成されているため、ズレ抑制部６には力Ｘに対抗する応力Ｙが生じて確実に垂木材２同士のずれを防止することができる。したがって、垂木材２同士のずれＬ２は、プレカットされた各端面２ｂの加工精度の範囲内に納めることができ、従来のずれＬｂよりも大幅に縮めることができる。
【００３３】
このように形成される垂木材の継ぎ手構造１は、端面２ｂに形成される段差面２４を突合せるだけで精度の高い継ぎ部４を構築することができ、施工性を向上させることができる。
〔第２実施形態〕
【００３４】
次に、垂木材の継ぎ手構造７の実施形態について各図を参照しつつ説明する。なお、この第２実施形態は、ズレ抑制部の構成が第１実施形態と異なる他は、第１実施形態と同様の構成であるので、第１実施形態と同様の構成は同一の符号を付して説明を省略する。
【００３５】
端部２ａは、図５及び図９に示すように、端面２ｂから垂木材２の長手方向へ掘られたスリット２５を形成している。スリット２５は、端面２ｂの長手方向の略中央を横断するように設けられており、第１側面２ｃ及び第２側面２ｄと平行となるように形成される。また、スリット２５は、継ぎ部８を形成すると端面２ｂの互いのスリット２５の縁同士が合致するように垂木材２に形成されている。
【００３６】
端面２ｂは、図５に示すように、第１側面２ｃ及び第２側面２ｄに対して傾斜しており、スリット２５の縁によって分断されている。このような形状の端面２ｂは、水下側垂木材２１と水上側垂木材２２を継ぐ際に、水下側垂木材２１の端面２ｂが水上側垂木材２２の端面２ｂの下側となるように事前に工場でプレカット加工される。
【００３７】
このスリット２５には、楔金具９を差し込むことができる。楔金具９は、図６に示すように、スリット２５に挿入される平板状のスリット挿入部９ａと、スリット挿入部９ａの一端を折り曲げて形成され、一方の垂木材２に固定される固定部９ｂを有するＬ型の金具である。また、固定部９ｂには、楔金具９を垂木材２に固定するための釘を挿入する貫通孔９１を中央部が形成されている。
【００３８】
次に、垂木材の継ぎ手構造７を用いた垂木材の継ぎ手施工方法について説明する。まず、楔金具９を水下側垂木材２１に設置する。図５に示すように、楔金具９のスリット挿入部９ａを垂木材２の幅方向から水下側垂木材２１のスリット２５に差し込み、図８に示すように、固定部９ｂが第３側面２ｅに当接するまで楔金具９を挿入する。そして、固定部９ｂの挿入孔９１に釘５２を挿入して水下側垂木材２１に打ち込み、楔金具９を水下側垂木材２１に固定する。このとき、スリット挿入部９ａは、図７に示すように、スリット挿入部９ａの幅方向の略中央までを水下側垂木材２１のスリット２５に挿入された状態となっている。
【００３９】
続いて、第１実施形態で説明した内容と同様の手順で水下側垂木材２１を垂木支持材３に固定した後、水上側垂木材２２を水下側垂木材２１と繋ぎ合わせる。このとき、図７に示すように、露出しているスリット挿入部９ａを水上側垂木材２２のスリット２５に差し込むようにして、図９に示すズレ抑制部１０を形成し、継ぎ部８を完成させる。そして最後に、第１実施形態で説明した内容と同様の手順で水上側垂木材２２を水下側垂木材２１に固定するとともに、水下側垂木材２１を垂木支持材３に固定して垂木材の継ぎ手構造７を完成させる。
【００４０】
図９に示すように、継ぎ部８には、従来と同様に各所で生じた施工誤差や垂木材２自身の材長のばらつきによって隙間Ｌ３が形成され、さらに、第１側面２ｃ及び第２側面２ｄに対して直交し、且つ、垂木材２同士をずれさせようとする力Ｘが作用する。このとき、ズレ抑制部１０の楔金具９は、力Ｘの作用する方向に対して直交するように挿入されているため、楔金具９が楔となって力Ｘに対抗し、確実に垂木材２同士のずれを防止することができる。したがって、垂木材２同士のずれＬ４は、プレカットされたスリット２５の加工精度の範囲内に納めることができ、従来のずれＬｂよりも大幅に縮めることができる。
【００４１】
このように、楔金具９を予め水下側垂木材２１に事前設置することによって、垂木材２同士を繋ぎ合わせる際に水上側垂木材２２のスリット２５をスリット挿入部９ａに差し込むだけで垂木材２同士のずれを防止することができる。したがって、垂木材２同士を繋ぎ合わせる際に、垂木材２同士のずれを考慮することなく施工を行えるので、施工性を大幅に向上させることができる。また、ここでは楔金具９を水下側垂木材２１に事前設置しているが、特に限定されることはなく、状況に応じて楔金具９を水上側垂木材２２に事前設置してもよい。
【００４２】
なお、ここでは楔金具９の形状をＬ型としているが、先述した機能を満たすのであれば、その形状は特に限定されることはない。また、楔金具９は、固定部９ｂを省略しても垂木材２同士のズレを防止することができる。したがって、楔金具９を垂木材２にプレセットしない場合は、固定部９ｂを省略した平板状のスリット挿入部９ａをスリット２５に挿入するだけでもよい。
【００４３】
以上に説明したような垂木材の継ぎ手構造を用いれば、建物全体の施工誤差が集約された状況においても精度の高い屋根構造を構築することができる。つまり、垂木材２同士のずれは、従来のように現場の状況に応じて生じた各所の施工誤差によって左右されるのではなく、プレカット加工された垂木材２の加工精度内で納めることができるので、垂木材２同士のずれを設計寸法でコントロールすることが可能となる。したがって、梁間の大きい屋根や片流れ屋根のような大屋根を施工する場合においても、現場での施工性を大幅に向上させることができ、不陸やがたつきを生じさせることなく滑らかな表面の屋根面をスピーディに構築することができる。
【００４４】
また、本発明の実施の形態は上述の形態に限ることなく、本発明の思想の範囲を逸脱しない範囲で適宜変更することができることは云うまでもない。
【産業上の利用可能性】
【００４５】
本発明に係る床構造は、たとえば、木造屋根構造の建物に対して好適に使用することが出来る。
【符号の説明】
【００４６】
１、７    垂木材の継ぎ手構造
２        垂木材
２１      水下側垂木材
２２      水上側垂木材
２ａ      端部
２ｂ      端面
２ｃ      第一側面
２ｄ      第二側面
２５      スリット
３        垂木支持材
４、８    継ぎ部
６、１０  ズレ抑制部
９        楔金具
９ａ      スリット挿入部
９ｂ      固定部
【図１】
2018184734.tif 000003
【図２】
2018184734.tif 000004
【図３】
2018184734.tif 000005
【図４】
2018184734.tif 000006
【図５】
2018184734.tif 000007
【図６】
2018184734.tif 000008
【図７】
2018184734.tif 000009
【図８】
2018184734.tif 000010
【図９】
2018184734.tif 000011
【図１０】
2018184734.tif 000012
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
屋根勾配に沿って傾斜方向に一列に複数配置される長尺な垂木材同士を、前記垂木材の長手方向の互いに隣接する端部を相向かい合せて継ぐ垂木材の継ぎ手構造であって、
前記屋根勾配を構成する軒桁、母屋、垂木掛け、及び棟木などの横架材で形成された複数の垂木支持材と、
前記垂木支持材に載架される長尺な前記垂木材と、を備え、
前記垂木材の前記端部に形成した端面同士を重ね合わせることによって形成される継ぎ部は、建物全体の施工誤差及び前記垂木材の材長のばらつきによって生じる垂木材の上面同士のずれを抑制するためのズレ抑制部を有することを特徴とする垂木材の継ぎ手構造。
【請求項２】
前記ズレ抑制部は、前記垂木材の下面及び上面に平行に形成されることを特徴とする請求項１に記載の垂木材の継ぎ手構造。
【請求項３】
前記端面は、該端面に段差を形成する段差面を有し、
前記ズレ抑制部は、前記端面の前記段差面同士を突合せることによって形成されることを特徴とする請求項１又は請求項２に記載の垂木材の継ぎ手構造。
【請求項４】
前記端部は、前記端面から前記垂木材の長手方向へ掘られたスリットを形成しており、
前記ズレ抑制部は、前記垂木材のずれを抑制する楔金具を前記スリットに挿入することによって形成されることを特徴とする請求項１又は請求項２に記載の垂木材の継ぎ手構造。
【請求項５】
前記楔金具は、前記スリットに挿入される平板状のスリット挿入部と、前記スリット挿入部の一端を折り曲げて形成され前記垂木材に固定される固定部を有していることを特徴とする請求項４に記載の垂木材の継ぎ手構造。
【請求項６】
請求項１から請求項５のいずれかに記載の垂木材の継ぎ手構造を有することを特徴とする屋根構造。
【請求項７】
請求項１から請求項５のいずれかに記載の垂木材の継ぎ手構造を用いて垂木材同士を継ぐ垂木材の継ぎ手施工方法であって、
前記垂木材を支持する複数の前記垂木支持材は、屋根勾配及び前記垂木材に対して平面視直交するように配置され、且つ、前記屋根勾配に沿って高低差を形成しながら互いに平行に配置されており、
前記屋根勾配に沿って配置される前記垂木材の水下側に位置する水下側垂木材は、前記垂木支持材に載置されてビス固定され、
前記屋根勾配に沿って配置される前記垂木材の水上側に位置する水上側垂木材の水下側の端面を下向きにし、前記水下側垂木材の水上側の端面と相向かい合わせて前記垂木材同士のずれを抑制するズレ抑制部を有する前記継ぎ部を形成した後、
前記水上側垂木材の上面の前記水下側垂木材に近接する位置に釘を打ち、前記水上側垂木材を前記水下側垂木材に固定することを特徴とする垂木材の継ぎ手施工方法。
【手続補正２】
【補正対象書類名】明細書
【補正対象項目名】０００８
【補正方法】変更
【補正の内容】
【０００８】
本発明の第１の垂木材の継ぎ手構造は、屋根勾配に沿って傾斜方向に一列に複数配置される長尺な垂木材同士を、前記垂木材の長手方向の互いに隣接する端部を相向かい合せて継ぐ垂木材の継ぎ手構造であって、前記屋根勾配を構成する軒桁、母屋、垂木掛け、及び棟木などの横架材で形成された複数の垂木支持材と、前記垂木支持材に載架される長尺な前記垂木材と、を備え、前記垂木材の前記端部に形成した端面同士を重ね合わせることによって形成される継ぎ部は、建物全体の施工誤差及び前記垂木材の材長のばらつきによって生じる垂木材の上面同士のずれを抑制するためのズレ抑制部を有することを特徴としている。
【手続補正３】
【補正対象書類名】明細書
【補正対象項目名】０００９
【補正方法】変更
【補正の内容】
【０００９】
本発明の第２の垂木材の継ぎ手構造は、前記ズレ抑制部が、前記垂木材の下面及び上面に平行に形成されることを特徴としている。
【手続補正４】
【補正対象書類名】明細書
【補正対象項目名】００１４
【補正方法】変更
【補正の内容】
【００１４】
本発明の垂木材の継ぎ手施工方法は、第１から第５のいずれかに記載の垂木材の継ぎ手構造を用いて垂木材同士を継ぐ垂木材の継ぎ手施工方法であって、前記垂木材を支持する複数の前記垂木支持材は、屋根勾配及び前記垂木材に対して平面視直交するように配置され、且つ、前記屋根勾配に沿って高低差を形成しながら互いに平行に配置されており、前記屋根勾配に沿って配置される前記垂木材の水下側に位置する水下側垂木材は、前記垂木支持材に載置されてビス固定され、前記屋根勾配に沿って配置される前記垂木材の水上側に位置する水上側垂木材の水下側の端面を下向きにし、前記水下側垂木材の水上側の端面と相向かい合わせて前記垂木材同士のずれを抑制するズレ抑制部を有する前記継ぎ部を形成した後、前記水上側垂木材の上面の前記水下側垂木材に近接する位置に釘を打ち、前記水上側垂木材を前記水下側垂木材に固定することを特徴としている。
【手続補正５】
【補正対象書類名】明細書
【補正対象項目名】００１６
【補正方法】変更
【補正の内容】
【００１６】
本発明の垂木材の継ぎ手構造によると、ズレ抑制部は、垂木材の垂木支持材に面する下面及び下面の反対側に位置する上面に平行に形成されるので、屋根勾配に沿う下面及び上面に対して垂直に作用する垂木材をずらそうとする力に効果的に抵抗することができ、垂木材の継ぎ部のずれを防止して精度の高い垂木材の継ぎ手構造を構築することができる。
【手続補正６】
【補正対象書類名】明細書
【補正対象項目名】００２６
【補正方法】変更
【補正の内容】
【００２６】
端面２ｂは、図３に示すように、水下側垂木材２１及び水上側垂木材２２の垂木下地材３に面する下面２ｃ及び下面２ｃの反対側の面である上面２ｄに対して傾斜している傾斜面２３と、端面２ｂの長手方向の略中央部を横断し、端面２ｂに段差を形成する段差面２４を有している。段差面２４は、下面２ｃ及び上面２ｄに平行に形成されるとともに、水下側垂木材２１の端面２ｂと水上側垂木材２２の端面２ｂを重ね合わせた際、互いの段差面２４同士が係合するように端面２ｂに設けられている。このような形状の端面２ｂは、水下側垂木材２１と水上側垂木材２２を合わせる際に、水下側垂木材２１の端面２ｂが水上側垂木材２２の端面２ｂの下側に位置するように事前に工場でプレカット加工される。なお、段差面２４は、傾斜面２３に対して所定の角度を有している。
【手続補正７】
【補正対象書類名】明細書
【補正対象項目名】００３１
【補正方法】変更
【補正の内容】
【００３１】
そして、図３に示すように、水上側垂木材２２の上面２ｄの水下側垂木材２１に近接する位置に釘５１を打ち、水上側垂木材２２を水下側垂木材２１に固定する。最後に、水下側垂木材２１の上面２ｄに直交する第３側面２ｅ及び第４側面２ｆの切欠き３２に近接する位置に釘５１を打ち、垂木材の継ぎ手構造１を完成させる。
【手続補正８】
【補正対象書類名】明細書
【補正対象項目名】００３２
【補正方法】変更
【補正の内容】
【００３２】
継ぎ部４には、図４に示すように、従来と同様に各所で生じた施工誤差や垂木材２自身の材長のばらつきによって隙間Ｌ１が形成され、さらに、下面２ｃ及び上面２ｄに対して直交し、且つ、垂木材２同士をずれさせようとする力Ｘが作用する。このとき、ズレ抑制部６は、力Ｘの作用する方向に対して直交して形成されているため、ズレ抑制部６には力Ｘに対抗する応力Ｙが生じて確実に垂木材２同士のずれを防止することができる。したがって、垂木材２同士のずれＬ２は、プレカットされた各端面２ｂの加工精度の範囲内に納めることができ、従来のずれＬｂよりも大幅に縮めることができる。
【手続補正９】
【補正対象書類名】明細書
【補正対象項目名】００３５
【補正方法】変更
【補正の内容】
【００３５】
端部２ａは、図５及び図９に示すように、端面２ｂから垂木材２の長手方向へ掘られたスリット２５を形成している。スリット２５は、端面２ｂの長手方向の略中央を横断するように設けられており、下面２ｃ及び上面２ｄと平行となるように形成される。また、スリット２５は、継ぎ部８を形成すると端面２ｂの互いのスリット２５の縁同士が合致するように垂木材２に形成されている。
【手続補正１０】
【補正対象書類名】明細書
【補正対象項目名】００３６
【補正方法】変更
【補正の内容】
【００３６】
端面２ｂは、図５に示すように、下面２ｃ及び上面２ｄに対して傾斜しており、スリット２５の縁によって分断されている。このような形状の端面２ｂは、水下側垂木材２１と水上側垂木材２２を継ぐ際に、水下側垂木材２１の端面２ｂが水上側垂木材２２の端面２ｂの下側となるように事前に工場でプレカット加工される。
【手続補正１１】
【補正対象書類名】明細書
【補正対象項目名】００４０
【補正方法】変更
【補正の内容】
【００４０】
図９に示すように、継ぎ部８には、従来と同様に各所で生じた施工誤差や垂木材２自身の材長のばらつきによって隙間Ｌ３が形成され、さらに、下面２ｃ及び上面２ｄに対して直交し、且つ、垂木材２同士をずれさせようとする力Ｘが作用する。このとき、ズレ抑制部１０の楔金具９は、力Ｘの作用する方向に対して直交するように挿入されているため、楔金具９が楔となって力Ｘに対抗し、確実に垂木材２同士のずれを防止することができる。したがって、垂木材２同士のずれＬ４は、プレカットされたスリット２５の加工精度の範囲内に納めることができ、従来のずれＬｂよりも大幅に縮めることができる。
【手続補正１２】
【補正対象書類名】明細書
【補正対象項目名】００４６
【補正方法】変更
【補正の内容】
【００４６】
１、７    垂木材の継ぎ手構造
２        垂木材
２１      水下側垂木材
２２      水上側垂木材
２ａ      端部
２ｂ      端面
２ｃ      下面
２ｄ      上面
２５      スリット
３        垂木支持材
４、８    継ぎ部
６、１０  ズレ抑制部
９        楔金具
９ａ      スリット挿入部
９ｂ      固定部